(57)【要約】【課題】受聴位置を変更する可能性のある受聴者にとって最適な音場を提供すること【解決手段】アンプ装置２０は、音源メディアから読み出した音信号を増幅して出力する。複数のスピーカ装置３０−１〜３０−１２は、アンプ装置２０からの出力される増幅音信号を受け付けて出力する。複数のスピーカ装置３０−１〜３０−１２の各々は、所定空間内に間隔を空けて配置され、アンプ装置２０から入力された増幅音信号を無指向性の出力特性で出力する。【選択図】図１
2014103616.tif 000002
【特許請求の範囲】
【請求項１】
音源メディアから読み出した音信号を増幅して出力する１つ以上のアンプ装置と、
前記アンプ装置からの出力される増幅音信号を受け付けて出力する複数のスピーカ装置と、を備え、
前記複数のスピーカ装置の各々は、所定空間内に間隔を空けて配置され、前記アンプ装置から入力された前記増幅音信号を無指向性の出力特性で出力する、ことを特徴とする音響システム。
【請求項２】
前記音源メディアは、人間の可聴音域よりも高い周波数帯域の音である超高周波数音域音を含み、
前記音響システムは、前記アンプ装置が出力した前記超高周波数音域音を含んだ音の入力を受け付けて前記複数のスピーカ装置から出力するようにする、ことを特徴とする請求項１に記載の音響システム。
【請求項３】
前記音源メディアは、さらに、人間の可聴音域よりも低い周波数帯域の音である超低周波数音域音を含み、
前記音響システムは、前記アンプ装置が出力した前記超低周波数音域音の入力を受け付けて出力する超低音域出力スピーカ装置を備える、ことを特徴とする請求項２に記載の音響システム。
【請求項４】
前記複数のスピーカ装置の少なくとも一部は、壁面または床面に向かって音を出力すること、を特徴とする請求項１乃至請求項３に記載の音響システム。
【発明の詳細な説明】
【技術分野】
【０００１】
本発明は音響システムに関する。
【背景技術】
【０００２】
近年、音響機器の開発の進展に伴い、これらの音響機器を用いた様々な音響システムが開発されている。これらの音響システムにより、受聴者に対して適切な音場を提供することが提案されている。以下、このような音響システムの一例について説明する。
【０００３】
特許文献１には、部屋等の所定空間内の上方部にスピーカを取り付けることなく、臨場感のある音場を提供するサラウンドシステムが開示されている。当該サラウンドシステムでは、天井を含む壁の反射を利用して受聴者の上方から音が到来するように平面スピーカを配置している。
【０００４】
特許文献２には、仮想スピーカを用いることによって、予想される任意の角度の反射音を自在に再現でき、臨場感の高い音場を実現ができる音場再生システムが開示されている。
【先行技術文献】
【特許文献】
【０００５】
【特許文献１】特開２０１０−２５８６５３号公報
【特許文献２】特開２００１−１６６９８号公報
【特許文献３】特開２００３−４７０８９号公報
【特許文献４】特開２００６−１２９１５７号公報
【特許文献５】特開２０１１−９１８５４号公報
【発明の概要】
【発明が解決しようとする課題】
【０００６】
ところで、自室や映画館等とは異なり、ユーザが頻繁に移動するような環境において音響システムを用いる場面が数多くある。この環境として、ホテル等のエントランスやショールーム、会議室、商談室、食堂等が一例として挙げられる。これらの場所では、リラックス効果のある環境音等を再生することが一般的である。
【０００７】
しかしながら、上述の従来技術では、受聴者が受聴位置を変更することについて何らの検討をしていない。そのため、受聴者の聴取位置によっては、十分に音響システムからの出力音を享受することができない事態が生じていた。この場合、例えば音響システムがリラックス効果のある環境音を再生していた場合であっても、受聴者が最適な位置にいないときには、受聴者が十分にリラックス効果を感じることができないことがあった。
【０００８】
すなわち従来技術では、受聴位置を変更する可能性のある受聴者にとって最適な音場を提供することができないという問題が生じていた。
【課題を解決するための手段】
【０００９】
そこで本発明は、音源メディアから読み出した音信号を増幅して出力する１つ以上のアンプ装置（２０−１〜２０−３）と、前記アンプ装置（２０−１〜２０−３）からの出力される増幅音信号を受け付けて出力する複数のスピーカ装置（３０−１〜３０−１２）と、を備え、前記複数のスピーカ装置（３０−１〜３０−１２）の各々は、所定空間内に間隔を空けて配置され、前記アンプ装置（２０−１〜２０−３）から入力された前記増幅音信号を無指向性の出力特性で出力する、ことを特徴とする音響システム（１）を提供する。
【発明の効果】
【００１０】
本発明では、受聴位置を変更する可能性のある受聴者にとって最適な音場を提供することができる音響システムを提供することができる。
【図面の簡単な説明】
【００１１】
【図１】実施の形態１にかかる音響システムの概略構成を示すブロック図である。
【図２】実施の形態１にかかるアンプ装置２０の構成を示すブロック図である。
【図３Ａ】実施の形態１にかかるスピーカ装置３０の外観構成を示す図である。
【図３Ｂ】実施の形態１にかかるスピーカ装置３０の外観構成を示す図である。
【図４】実施の形態１にかかるスピーカ装置３０の出力特性を表す概念図である。
【図５Ａ】一般的なスピーカ装置の壁面反射特性を示す概念図である。
【図５Ｂ】実施の形態１にかかるスピーカ装置３０の壁面反射特性を示す概念図である。
【図６】実施の形態１にかかる音響システム１の空間は一例を示す概念図である。
【発明を実施するための形態】
【００１２】
＜実施の形態１＞
以下、図面を参照して本発明の実施の形態について説明する。図１は、本実施の形態にかかる音響システムの構成を示すブロック図である。本実施の形態にかかる音響システムは、リラックス効果のある音源メディアを再生し、受聴者にとって快適な空間を提供することを主な目的とする。
【００１３】
音響システム１は、再生装置１０、アンプ装置２０−１〜２０−３、スピーカ装置３０−１〜３０−１０、及びサブウーハ装置（超低音域出力スピーカ装置）４０−１及び４０−２を備える。なお、図１における各装置の設置数はあくまでも例示であり、音響システム１が設置される環境に応じて適宜変更することができる。以下の説明において、アンプ装置２０−１〜２０−３はそれぞれ略同一の構成であれば良く、これらの装置を特に区別しない場合には単にアンプ装置２０と記載する。スピーカ装置３０−１〜３０−１０及びサブウーハ装置４０−１、４０−２についても同様に、各々を特に区別しない場合には単にスピーカ装置３０、サブウーハ装置４０と記載する。
【００１４】
再生装置１０は、図示しない音源メディアを読み出して再生する。再生装置１０は、再生音をアナログ出力してアンプ装置２０のアナログ入力端子に入力する。ここで、音源メディアは、リラックス効果のある音が収録されたものであって、いわゆるハイレゾリューション音源であることが望ましい。ハイレゾリューション音源とは、人間の可聴領域を超えた音域をもつ音源であって、例えば９６ｋＨｚ／２４ビットで録音された音源である。詳細にはハイレゾリューション音源は、人間の可聴領域よりも高い周波数の音域、及び人間の可聴領域よりも低い周波数の音域も含む音源である。一般的なＣＤ（Compact Disc）やＭＰ３（MPEG-Audio Layer-3）音源は、強制的に圧縮された音源であり、人間の可聴領域内の音のみが録音されている。これに対してハイレゾリューション音源は、人間が無意識に感じる（すなわち可聴領域外）音も録音された音源であり、人間の脳にリラックス効果を与えるといわれている音源である。
【００１５】
再生装置１０は、後述するサブウーハ装置４０が出力対象とする超低周波数音域を録音したハイレゾリューション音源メディアも出力対象とする。再生装置１０は、当該超低周波数音域の音源メディアを再生し、アンプ装置２０のアナログ入力端子に供給する。再生装置１０は、アンプ装置２０のアナログ入力端子（後述のＩＮ１〜ＩＮ４）毎に設けられてもよく、複数の音源メディアを同時に再生できる構成であってもよい。
【００１６】
アンプ装置２０は、再生装置１０からアナログ入力端子に入力されたアナログ音を増幅して各スピーカ装置３０及びサブウーハ装置４０に供給する。なお、以下の説明において、アナログ音とはアナログ形式の音に関する信号であるものとする。また、アンプ装置２０は、再生装置１０から入力されたアナログ音を出力端子を介して他のアンプ装置２０にそのまま出力する。アンプ装置２０は、一般的にはインテグレーテッドアンプ等のように呼称される音響装置である。
【００１７】
アンプ装置２０の詳細構成例を図２を参照して説明する。アンプ装置２０は、アナログ入力端子ＩＮ１〜ＩＮ４、アナログ出力端子ＯＵＴ１〜ＯＵＴ４、スピーカ出力端子ＳＰ−ＯＵＴ１〜ＳＰ−ＯＵＴ４、及びウーハ出力端子ＷＦ−ＯＵＴ１をアンプ装置２０の筐体上に有する。さらにアンプ装置２０は、内部に音響調整ＩＣ（Integrated Circuit）２１０、フィルタ部２２１〜２２４、及びパワーアンプ部２３０を有する。
【００１８】
アナログ入力端子ＩＮ１〜ＩＮ４は、それぞれ再生装置１０と接続する端子である。なお、図２においてはアナログ入力端子ＩＮの個数が４個として説明したが、必ずしもこれに限られず、アンプ装置２０は任意数のアナログ入力端子を有していればよい。
【００１９】
アナログ出力端子ＯＵＴ１〜ＯＵＴ４は、アナログ入力端子ＩＮ１〜ＩＮ４とそれぞれ接続する。たとえばアンプ装置２０−１のアナログ出力端子ＯＵＴ１〜ＯＵＴ４とアンプ装置２０−２のアナログ入力端子ＩＮ１〜ＩＮ４を接続することにより、アンプ装置２０−１のアナログ入力端子ＩＮ１に入力されたアナログ音をアンプ装置２０−２のアナログ入力端子ＩＮ１に供給することができる。
【００２０】
音量調整ＩＣ２１０は、各アナログ入力端子（ＩＮ１〜ＩＮ４）から入力されたアナログ音の音量を調整するＩＣである。音量調整ＩＣ２１０には、アンプ装置２０の筐体表面に設けられたインターフェイスの操作、またはアンプ装置２０のリモートコントローラ等の操作によって設定された音量調整データ（図示せず）が入力される。音量調整ＩＣ２１０は、この音量調整データに応じて各アナログ入力端子から入力されたアナログ音の音量調整を行う。ここで、音量調整ＩＣ２１０は、インターフェイス等から設定されたモードに応じて各アナログ入力端子ＩＮ１〜ＩＮ４の入力アナログ音の音量を独立して調整（例えばＩＮ１から入力されたアナログ音の音量のみを調整）してもよく、各アナログ入力端子ＩＮ１〜ＩＮ４の入力アナログ音を一律に音量調整（例えばＩＮ１〜ＩＮ４から入力されたアナログ音の音量を全て所定値だけ増加または減少）してもよい。音量調整ＩＣ２１０の構成は、一般的なアンプ装置２０が有している構成と略同一の構成であれば良い。
【００２１】
音量調整ＩＣ２１０は、アナログ入力端子ＩＮ１〜ＩＮ４から入力されたアナログ音の音量をそれぞれ調節し、音量調節したアナログ音をフィルタ部２２１〜２２４に供給する。詳細には、音量調整ＩＣ２１０は、アナログ入力端子ＩＮ１から入力されたアナログ音を音量調節してフィルタ部２２１に供給する。同様に、アナログ入力端子ＩＮ２とフィルタ部２２２、アナログ入力端子ＩＮ３とフィルタ部２２３、及びアナログ入力端子ＩＮ４とフィルタ部２２４が対応する。
【００２２】
また音量調整ＩＣ２１０は、アナログ入力端子ＩＮ１〜ＩＮ４のいずれかから入力された超低周波数音域（人間の可聴範囲以下の音域）のアナログ音をウーハ出力端子ＷＦ−ＯＵＴ１にアナログ出力する。
【００２３】
フィルタ部２２１〜２２４は、各スピーカ出力端子ＳＰ−ＯＵＴ１〜ＳＰ−ＯＵＴ４とそれぞれ関連付けられている。たとえばフィルタ部２２１は、スピーカ出力端子ＳＰ−ＯＵＴ１に関するフィルタとして動作する。フィルタ部２２１は、音量調整ＩＣ２１０が出力したアナログ音に対して、ローパスフィルタ（ＬＰＦ：Low-Pass Filter）またはハイパスフィルタ（ＨＰＦ：High-Pass Filter）として機能する。フィルタ部２２１〜フィルタ部２２４は、フィルタリング処理済みのアナログ音をパワーアンプ部２３０に供給する。
【００２４】
パワーアンプ部２３０は、フィルタ部２２１〜２２４から入力されたアナログ音を増幅し、増幅済みのアナログ音を各スピーカ出力端子ＳＰ−ＯＵＴ１〜ＳＰ−ＯＵＴ４に出力する。ここでパワーアンプ部２３０は、入力アナログ音をＡ／Ｄ（Analog/Digital）変換し、当該変換後のデジタル音を増幅し、当該増幅済みのデジタル音をＤ／Ａ（Digital/Analog）変換してアナログ形式で出力してもよい。このような変換処理を行うことにより、電源回路の小型化や発熱低減の効果を奏することができる。
【００２５】
上述のアナログ入力端子ＩＮ１から入力されたアナログ音は、音量調整ＩＣ２１０、フィルタ部２２１、及びパワーアンプ部２３０を介してスピーカ出力端子ＳＰ−ＯＵＴ１から出力される。また、他のアナログ入力端子ＩＮ２〜ＩＮ４に関しても、それぞれ各フィルタ部２２２〜２２４、及び各スピーカ出力端子ＳＰ−ＯＵＴ２〜ＳＰ−ＯＵＴ４と１対１に関連付けられている。
【００２６】
なお、図示しないもののアンプ装置２０は、内部にアイソレーションアンプ、リミッター等の各種処理部を有していてもよい。すなわち、アンプ装置２０は、アナログ入力端子ＩＮ１〜ＩＮ４から入力されたアナログ音を増幅して出力構成であれば上述の構成に限られない。
【００２７】
再び図１を参照する。アンプ装置２０と再生装置１０は、別筐体として設けられる必要はなく一体化した装置とすることも可能である。すなわち本発明のアンプ装置２０は、ハイレゾリューション音源を含む任意の音源メディアの再生能力を持つ装置であってもよい。
【００２８】
サブウーハ装置４０（超低音域出力スピーカ装置）は、低周波数帯域音を出力する出力装置である。ここでサブウーハ装置４０が出力する音は、人間の可聴領域よりも低周波数の音である。サブウーハ装置４０には、アンプ装置２０のウーハ出力端子ＷＦ−ＯＵＴ１から上述の超低周波数音域のアナログ音が入力される。
【００２９】
スピーカ装置３０は、いわゆる無指向性の出力特性を持つ音出力装置である。スピーカ装置３０は、アンプ装置２０のスピーカ出力端子ＳＰ−ＯＵＴ１〜ＳＰ−ＯＵＴ４のいずれかと自身の入力端子を接続する。スピーカ装置３０は、アンプ装置２０から入力されたアナログ音を外部空間に放出する。ここでスピーカ装置３０は、人間の可聴領域よりも高い超高周波数音域の音も出力対象とする。なおスピーカ装置３０が超高周波数音域音も出力対象とするための構成は、後述するようにたとえば特許文献３〜５と同等または類似した構成であれば良い。
【００３０】
なお、スピーカ装置３０は、電気音響変換器と呼称される場合もあり、一般的にはダイレクトドライブスピーカ（ＤＤ（Direct Drive）スピーカ）と呼称される場合もある。
【００３１】
スピーカ装置３０の外観構成例を図３Ａ及び図３Ｂに示す。まず図３Ａを参照する。スピーカ装置３０は、フレーム３１０、エッジ３２０、及び音声出力装置３３０を有する。フレーム３１０は、ネジ等によって壁面等に螺合等されることによって固定される。音声出力装置３３０は、振動方向から見た平面形状が長手方向（図中のＹ方向）と短手方向（図中の奥行方向）を有する。すなわち、スピーカ装置３０は、略柱状の形状を持つスピーカである。
【００３２】
エッジ３２０は、図示するように当該長手方向においてフレーム３１０と音声出力装置３３０を結合する。ここでエッジ３２０は、音声出力装置３３０の長手方向を軸として音声出力装置３３０を回転可能に接合する。
【００３３】
音声出力装置３３０は、図示しないケーブルを介してアンプ装置２０のスピーカ出力端子ＳＰ−ＯＵＴ１〜ＳＰ−ＯＵＴ４のいずれかと接続する。音声出力装置３３０は、音を放射する方向に凹凸状に連続した湾曲形状の振動板３３１を有する。なお、音声出力装置３３０の内部構成は、振動板３３１全体を駆動するダイレクトドライブ方式（無指向性の出力方式）のスピーカと同等の内部回路等を有すればよい。
【００３４】
図３Ｂは、振動面３３１を正面にしたスピーカ装置３０の外観図である。図示するように振動面３３１が柱状形状（Ｘ方向が短手方向、Ｙ方向が長手方向）を有している。なお、スピーカ装置３０の詳細構成例は、例えば特許文献３〜特許文献５に開示された構成と略同一（または類似したもの）であるため、適宜参照されたい。
【００３５】
続いて、スピーカ装置３０の出力特性について説明する。図４は、スピーカ装置３０の出力指向性を示す概略図である。図４は、スピーカ装置３０からの出力周波数を変化させた場合の各角度における音の伝搬特性を示している。図示するように、スピーカ装置３０は、振動板３３１の前面位置（０°〜９０°、３６０°〜２７０°）においては、その音源周波数に関わらずほぼ均等に音を伝搬している。また、振動板３３１の背面位置（９０°〜２７０°）においても、高い均一性で音を伝搬している。すなわちスピーカ装置３０は、上述のＸＹ平面（図３）において無指向性（または全指向性とも呼称される）の出力特性で音を出力する。周波数によらずにほぼ均等に音を伝搬できる構成を持つため、スピーカ装置３０は、超高周波数音域の音（人間の可聴領域よりも高い周波数を持つ音）を出力する際にも図４に示すような高い均一性で音を伝搬することができる。
【００３６】
なお、音声出力装置３３０の長手方向と短手方向の比は任意であり、音声出力装置３３０が上述の無指向性の出力特性を持つことができるのであれば、その他の形状とすることも可能である。しかしながら、図３に示す柱状形状のスピーカ装置３０は、広い設置スペースを必要とせず、優れた音響特性を持つため、音響システム１の用途においては最も好ましい形態の一つである。
【００３７】
続いてスピーカ装置３０の壁面反射特性について説明する。図５Ａは、指向性を有する一般的なスピーカ装置の壁面反射特性を示す参考図である。一方、図５Ｂは、本実施の形態にかかるスピーカ装置３０の壁面反射特性を示す図である。なお、壁面を床面ととらえることも可能である。
【００３８】
図５Ａに示すように、一般的なスピーカ装置の出力音が壁面に反射する場合、低域成分の指向性と高域成分の指向性が異なる。すなわち、低域成分は壁の反射の影響を大きく受ける一方で、高域成分はあまり反射しない。これにより、低域が強調された不明瞭な音が受聴者に提供されることとなる。
【００３９】
一方、本実施の形態にかかるスピーカ装置３０は、前述のように無指向性の（指向性を有さない）出力特性を有する。このような特性を持つために、図５Ｂに示すように反射後の音が周波数に関わらず均等に伝搬する。すなわち、スピーカ装置３０は、壁面反射の影響が少ない出力を実現することができる。なお上述のようにスピーカ装置３０は、超高周波数音域の音（人間の可聴領域よりも高い周波数を持つ音）も出力対象とするが、これらの音を出力した際にも図５Ｂに示すような壁面反射性能を有する。
【００４０】
続いて、音響システム１の空間設置例を説明する。図６は、本実施の形態にかかる音響システム１を所定空間内に配置した空間設置例を示す概念図である。なお、図中において再生装置１０については記載を省略している。音響システム１を配置する空間として例えばコールセンター、商談室、一般受付、ホテルやマンション等の建物のエントランス、待合室、空港等のラウンジ、サロン、会社等における休憩スペース、健康診断室、図書館、図書室、会議室、執務室、ショールーム、社員食堂、ショッピングモール、美術館の展覧室、一般オフィスルーム、プレゼンテーションルーム、展示会会場、等の様々な空間が考えられる。
【００４１】
これらの空間では、ユーザ（受聴者）は、一定位置にとどまることなく移動する可能性がある。図示するように、所定空間内にスピーカ装置３０及びサブウーハ装置４０が配置されている。ここでスピーカ装置３０は、高低を問わず設置される。すなわちスピーカ装置３０は、当該空間内の足元に近い位置に設置されてもよく、天井に固定されるようにして高い位置に設置されてもよい。サブウーハ装置４０も同様に、高低を問わずに配置される。
【００４２】
なお、スピーカ装置３０は所定の等間隔で設置されることが望ましいが、アンプ装置２０とのケーブル結線の都合により、必ずしも等間隔でなくてもよい。また図示するように、スピーカ装置３０の少なくとも一部は、その振動板３３１を壁面や床面に向けるように配置してもよい。このように配置することにより、スピーカ装置３０が出力する音が直接的にユーザ（受聴者）に伝わることなく、間接音として伝わる。間接音として音を伝えることにより、より自然な音場環境を実現することができる。すなわち、スピーカ装置３０の振動板３３１を壁面や床面に向けるように配置することにより、リラックス効果を高めることができる。また、図５Ｂを参照して説明したように、本実施の形態にかかるスピーカ装置３０は、壁面反射の影響を受けづらい。そのため、音響システム１は、壁面反射が生じる場合であっても、自然な音出力を実現することができる。
【００４３】
また、スピーカ装置３０の配置位置や配置間隔は、再生対象となる音源の性質に合わせて適宜設定してもよい。上述のようにアンプ装置２０は、複数の入力アナログ端子（ＩＮ１〜ＩＮ４）を有する。そのため、アンプ装置２０は、複数の音源（例えば滝の音、鳥のさえずりの音、木枯らしの音、風の吹きぬける音）を同時に増幅して、各スピーカ装置３０に供給することができる。詳細にはアンプ装置２０は、滝の音をスピーカ装置３０−１に供給し、鳥のさえずりの音をスピーカ装置３０−２に供給し、木枯らしの音をスピーカ装置３０−３に供給し、風の吹きぬける音をスピーカ装置３０−４に供給することができる。そのため、各スピーカ装置３０の配置位置は、供給される音の性質に合わせて決定してもよい。たとえば滝の音を出力するスピーカ装置３０−１は、空間上部（例えば天井）に設置すればよい。同様に鳥のさえずりの音を出力するスピーカ装置３０−２は、空間上部に配置すればよい。
【００４４】
また上述のようにアンプ装置２０は、自身のアナログ入力端子（ＩＮ１〜ＩＮ４）と他のアンプ装置２０のアナログ出力端子（ＯＵＴ１〜ＯＵＴ４）を接続することができる。これにより、各音源を出力するスピーカ装置３０の数を調整することもできる。たとえば、滝の音を出力するスピーカ装置３０を他の音源を出力するスピーカ装置３０よりも多く配置することも可能である。
【００４５】
このようにスピーカ装置３０をその出力音に合わせて配置することにより、音響システム１は、あたかも森や川岸等の自然環境の中にいるような、臨場感があり、かつ、心地の良い音場を提供することが可能となる。
【００４６】
なお、スピーカ装置３０の配置は、単に受聴状況のみを考慮するのではなく、所定空間（例えば上述のホテルラウンジ）の景観等を考慮して適宜変更してもよいことは言うまでもない。また、スピーカ装置３０やサブウーハ装置４０の外観（筐体の色、筐体の形等）についても所定空間の景観等を考慮して適宜変更してもよい。
【００４７】
続いて本実施の形態にかかる音響システム１の効果について改めて説明する。図６に示すように、本実施の形態にかかる音響システム１は、所定空間内に複数のスピーカ装置３０を有し、各スピーカ装置３０が無指向性の出力特性で音を出力する。これにより、所定空間（例えば図６に示されるような空間）において、ユーザ（受聴者）は位置に影響を受けることなく、最適な音場を享受することができる。
【００４８】
また上述のように再生装置１０が再生対象とする音源メディアは、いわゆる自然音を収録したハイレゾリューション音源である。ハイレゾリューション音源の扱う周波数帯域は、人間の可聴領域音外の周波数帯域音（可聴領域以上の周波数を持つ音、及び可聴領域以下の周波数を持つ音）をも含む。なお、上述の説明では可聴領域以下の周波数の音（超低周波数音域音）をサブウーハ装置４０により出力するものとして説明したが、必ずしもこれに限られず、超低周波数音域音を扱わない構成とすることも可能である。すなわち、サブウーハ装置４０の無い構成とすることも可能である。可聴領域以上の周波数を持つ音（超高周波数音域音）は、出力時にスピーカ装置の指向性の影響を特に強く受ける特性がある。そのため、仮に指向性を有する（無指向性ではない）スピーカ装置を利用した場合、位置によって音の感じ方に大きな差が生じてしまう。一方、上述の無指向性の出力特性を持つスピーカ装置３０は、上述のように超高周波数音域の音も出力対象とし、これらの音を出力する場合であっても図４及び図５Ｂに示すような無指向性の出力特性で音を出力する。これにより、ユーザ（受聴者）の位置が変化した場合であっても、ユーザ（受聴者）は同じように超高周波数音域音を感じることができる。つまり再生装置１０、アンプ装置２０、及びスピーカ装置３０から構成される音響システム１は、適切に超高周波数音域音をユーザ（受聴者）に提供することができる。ユーザ（受聴者）の脳は、超高周波数音域音を受聴することによりα波が増大し、高いリラックス効果を感じることができる。なお、上述のように再生装置１０はアンプ装置２０と一体化されていてもよい。
【００４９】
また音響システム１は、図１に示すようにサブウーハ装置４０を適宜備えていてもよい。サブウーハ装置４０は、上述のように超低周波数音域音の出力を行う。これにより、ユーザ（受聴者）は、無意識のうちに感じることができる可聴領域以下の音を享受することができる。すなわち、ユーザ（受聴者）は、スピーカ装置３０の出力する高周波数音域音、及びサブウーハ装置４０の出力する超低周波数音域音を無意識のうちに受聴することができる。一般的に可聴領域外の周波数を持つ自然音や環境音に囲まれる場合、ユーザ（受聴者）の脳は、高いリラックス効果を感じ、α波が増大されるといわれている。すなわち、このような可聴領域外の音（超高周波数音域音及び超低周波数音域音）によって、ユーザは高いリラックス効果やリフレッシュ効果を享受することができる。
【００５０】
また本実施の形態にかかる音響システム１では、出力音の特性に合わせてスピーカ装置３０の配置位置を決定することもできる。たとえば、川の音を出力するスピーカ装置３０を足元に近い位置に配置することができる。これにより音響システム１は、臨場感のある音場をユーザ（受聴者）に提供することができる。
【００５１】
以上、本発明を上記実施形態に即して説明したが、本発明は上記実施形態の構成にのみ限定されるものではなく、本願特許請求の範囲の請求項の発明の範囲内で当業者であればなし得る各種変形、修正、組み合わせを含むことは勿論である。
【００５２】
例えば上述の説明では、アナログ入力端子ＩＮ１〜ＩＮ４とスピーカ出力端子ＳＰ−ＯＵＴ１〜ＳＰ−ＯＵＴ４がそれぞれ１対１に対応しているものとして説明したが、必ずしもこれに限られない。たとえばアンプ装置２０は、あるアナログ入力端子から入力されたアナログ音を解析し、各周波数成分を抽出してフィルタ部２２１〜２２４に分配する処理部（周波数解析部）を備えてもよい。たとえば当該周波数解析部は、あるアナログ入力端子に入力されたアナログ音を解析し、当該アナログ音から所定周波数以上の信号をフィルタ部２２１に出力し、所定周波数未満の信号をフィルタ部２２２に出力する。そして、フィルタ部２２１及びフィルタ部２２２は、各入力信号のフィルタリング処理を行う。パワーアンプ部２３０は、所定周波数以上の信号（フィルタ部２２１の出力信号）を増幅してスピーカ出力端子ＳＰ−ＯＵＴ１に出力する。同様にパワーアンプ部２３０は、所定周波数未満の信号（フィルタ部２２２の出力信号）を増幅してスピーカ出力端子ＳＰ−ＯＵＴ２に出力する。すなわち音響システム１では、各スピーカ出力端子ＳＰ−ＯＵＴが出力する出力音域があらかじめ設定されており、周波数解析部の解析に応じて入力アナログ音を分配出力する構成であってもよい。
【００５３】
上述のような構成にすることにより、音響システム１は、ある１つのアナログ入力端子から入力されたアナログ音を周波数毎に複数のスピーカ装置３０に分配して供給することができる。具体例としては、音響システム１は、森林の自然音を録音した音源メディアを用い、周波数解析部でアナログ音から各周波数成分を抽出して複数のスピーカ装置３０から分配出力する。この際にアンプ装置２０は、スピーカ装置３０の配置位置（高低）に応じて出力音域を決定（例えば低周波数帯域は低い位置に配置されたスピーカ装置３０から出力）する。これにより、一つの音源メディアを用いた場合であっても、周波数に応じて適切なスピーカ位置から音を出力することができる。
【００５４】
また、上述の説明ではアンプ装置２０は、アナログ入力及びアナログ出力の構成として説明したが、必ずしもこれに限られず、再生装置１０やスピーカ装置３０の種別等に応じて入出力構成を変更してもよい。この場合、アンプ装置２０は、適宜Ａ／Ｄ変換器及びＤ／Ａ変換器を有するものとすればよい。
【００５５】
なお、再生装置１０は、音源メディアをリピート再生するようにあらかじめ設定されていてもよい。これにより、スピーカ装置３０及びサブウーハ装置４０からの出力が途絶えることがなくなり、ユーザは常にリラックス効果を享受することができる。
【００５６】
またアンプ装置２０は、シンクロ端子を有していてもよい。アンプ装置２０は、当該シンクロ端子同士を接続することにより電源のＯＮ／ＯＦＦ動作を連動させてもよい。これにより、音響システム１の管理者は、電源ＯＮ／ＯＦＦ処理を簡便な操作で行うことができる。
【符号の説明】
【００５７】
１  音響システム
１０  再生装置
２０（２０−１〜２０−３）  アンプ装置
３０（３０−１〜３０−１０）  スピーカ装置
４０（４０−１、４０−２）  サブウーハ装置
【図１】
2014103616.tif 000003
【図２】
2014103616.tif 000004
【図３Ａ】
2014103616.tif 000005
【図３Ｂ】
2014103616.tif 000006
【図４】
2014103616.tif 000007
【図５Ａ】
2014103616.tif 000008
【図５Ｂ】
2014103616.tif 000009
【図６】
2014103616.tif 000010